(57)【要約】【課題】台所用の昇降ラック付吊戸棚で背板を二重にして機構部を取り付けるタイプのものは、吊戸棚のキャビネット構造が複雑になる欠点があった。また、キャビネットに直接前板を取り付けるタイプでは、昇降ラックを吊るので剛性を高める為にキャビネットの骨格に金属製のフレームを採用するので、金具の取り付けが困難で、前板を被せ金具に引っ掛ける構造とせざるを得ないので、金具を外すのに吊戸棚と天井の間に隙間が必要となっていた。【解決手段】昇降ラックを備えると共に前面に点検口を設けたキャビネット２と間口の狭いキャビネット３を横方向に連結し、間口の狭いキャビネット３に、昇降ラックを備えたキャビネット２の前面をも塞ぐ扉４をスライド蝶番４１にて取り付けた。【選択図】        図１
2004187768.tif 000002
【特許請求の範囲】
【請求項１】
昇降ラックを備えると共に前面に点検口を設けたキャビネットと間口の狭いキャビネットを横方向に連結し、間口の狭いキャビネットに、昇降ラックを備えたキャビネットの前面をも塞ぐ扉を蝶番にて取り付けたことを特徴とする昇降ラック付吊戸棚
【発明の詳細な説明】
【０００１】
【発明の属する技術分野】
本発明は、主にキッチンの壁面の上部に配置する吊戸棚であって、特に内部に昇降ラックを収納するようにした昇降ラック付吊戸棚に関するものである。
【０００２】
【従来の技術】
キッチンの壁面に配置する吊戸棚は、上部となるので前面扉を蝶番にて取り付け、前面から収納物を出し入れするようにすると、面倒であることから、頻繁に用いる調理器具、キッチンペーパータオル、洗剤などを収納するには適さなかった。
そこで吊戸棚内部に上下に昇降自在な昇降ラックを設け、この昇降ラック内に収納することで雑然としがちな厨房家具のカウンター上をすっきりさせるようにするものが提案（特許文献１）されている。
【０００３】
【特許文献】
実公平５−２３０６７号公報（第３頁  第１図）
【０００４】
台所用の昇降ラック付吊戸棚で、現在出願人が製品化しているのは次の二タイプである。
まず、ひとつは、背板（のみ）を二重にして下方を開口させ、背面側のそのスペースに機構部（昇降させるための機器、器具）を納め取り付けるようにしている。下方を開口させているのは、機構部及び昇降ラックを昇降させるためである。
【０００５】
今ひとつは、キャビネットの前面に、直接前板を付けるタイプの昇降ラックである。すなわち、金具等を使って、前板をキャビネットに取り付けるものである。
【０００６】
【発明が解決しようとする課題】
背板を二重にして機構部を取り付けるタイプのものは、吊戸棚のキャビネット構造が複雑になる欠点があった。
また、キャビネットに直接前板を取り付けるタイプでは、昇降ラックを吊るので剛性を高める為にキャビネットの骨格に金属製のフレームを採用するので、金具の取り付けが困難で、前板を被せ金具に引っ掛ける構造とせざるを得ないので、金具を外すのに吊戸棚と天井の間に隙間が必要となっていた。
金具には、スライド蝶番のような調整機構がないため、いちいち前板を外したり、取り付けたりする作業が必要となる。
【０００７】
【課題を解決するための手段】
上述の課題を解決するために本発明の昇降ラック付吊戸棚は、昇降ラックを備えたキャビネットと間口の狭いキャビネットを横方向に連結し、間口の狭いキャビネットに昇降ラックを備えたキャビネットの前面をも塞ぐ扉を蝶番にて取り付けたことを特徴とするものである。
【０００８】
【発明の実施の形態】
以下、図面に示す本発明の実施の形態に即して説明する。
図１は、昇降ラック付吊戸棚Ｗの分解斜視図で、昇降ラック１を備えたキャビネット２、前面を開口させた幅狭な木製のキャビネット３及び、キャビネット２及びキャビネット３の前面を塞ぐ扉４からなるものである。
【０００９】
破線で示す昇降ラック１は、前面或いは一側面を開口させた箱体からなり、内部には適宜棚板を設けるようにする。
図１ではキャビネット２は、直方体の稜角を繋ぐフレームのみを示すが、図２から明らかなように、必要に応じて側板２１、天板２２にて塞ぐようにする。一方の側板２１側が壁面となる場合は側板２１を省略したり、昇降ラック１を食器乾燥庫とする場合は天板２２を外したり、図示しないが側板２１に通気孔を穿ったりする。
このキャビネット２の前面には扉４を開けたときに表れるように点検口２５を設けるようにする。
【００１０】
このキャビネット２に幅狭な木製キャビネット３を横方向に連結する。キャビネット２のキャビネット３側がフレームのみで側板がなければ、フレームからねじをキャビネット３の側板にねじ込むことで連結する。キャビネット２にキャビネット３と対峙する側に木製の側板があれば、夫々の側板をつき合わせてボルトナット又はねじなどで繋げるようにする。
【００１１】
昇降手段５は、昇降ラック１を滑車に巡らせたロープで繋ぎ、図示しないモータで巻取り上昇させ、リリースして下降させるようにしたものとする。（図３参照）
【００１２】
扉４は、スライド蝶番４１で扉の裏面とキャビネット３の側板開口縁で繋げるようにする。
扉４を閉めた状態では点検口２５は塞がれ隠れることになる。キャビネット３は間口が狭いので扁平縦長のストック品を収納しておき、通常は扉４は開けないようにすることが望ましい。
【００１３】
図３、図４は、別の実施の形態の昇降ラック１を備えたキャビネット２を示すものである。
キャビネット２は下方を開口し、前面に窓穴状の点検口２５を設けるようにしたもので、内部に昇降ラック１を納めるようにしてある。
昇降ラック１は側面を開口した金属製の箱体で、側面には多数の通気孔１１を穿ってなり、棚板１２で上下に仕切り、下方にはタオル掛け１３を、棚板にはペーパータオル用の支柱１４、フィルム或いはホイルを保持するアーム１５を設けるようにしてある。また、昇降ラック１の外面にはまな板掛け１６を設けるようにしてある。
【００１４】
昇降手段５は、電動によるシリンダに繋げることで昇降させるものとしたりすることもできる。
また、上昇下降させる際の重量による負荷を軽減させる補助具としての昇降手段を採用することもできる。定荷重バネ、ガススプリング、バランスさせる重りなどの機構である。この場合は上昇、降下させたときのストッパー機構を設けるようにする。
【００１５】
【発明の効果】
本発明に係る昇降ラック付吊戸棚によれば、吊戸棚の内法全体から下降する昇降ラックを設けるのではなく、昇降ラックを納めるキャビネットの前面に点検口を設け、このキャビネットに別途間口の狭いキャビネットを連結し、この間口の狭いキャビネットに扉を設け、この扉により昇降ラックを備えたキャビネットの前面を塞ぎ、点検口を被うようにしているので、扉を開ければ昇降機構部のメインテナンスが行えるのである。
また、扉の取り付け、取り外し調整が簡単となり施工時にミスが生じることがないのである。
【図面の簡単な説明】
【図１】本発明に係る昇降ラック付吊戸棚の分解斜視図である。
【図２】本発明に係る昇降ラック付吊戸棚の使用状態の斜視図である。
【図３】本発明の別の実施の形態に関する昇降ラック付吊戸棚の昇降ラックである。
【図４】図３の昇降ラックの引き出した状態の斜視図である。
【符号の説明】
Ｗ  昇降ラック付吊戸棚
１  昇降ラック
２  キャビネット
３  キャビネット
４  扉
５  昇降手段
【図１】
2004187768.tif 000003
【図２】
2004187768.tif 000004
【図３】
2004187768.tif 000005
【図４】
2004187768.tif 000006